(57)【要約】【課題】複数個の投写型表示装置を組み合わせて大画面を構成する映像表示装置において、効率の良い冷却機構を備えた映像表示装置を提供する。【解決手段】筐体２内部には、背面に向かって左右の側面に沿って上下方向に延在するダクト８ａおよび８ｂを有している。ダクト８ａは、筐体２の左側壁面２１と、筐体２内部にあって、左側壁面２１に平行に設けられた左側隔壁２２とで挟まれた領域に形成され、左側壁面２１および左側隔壁２２で挟まれた領域のうちスクリーン１側は隔壁２３によって覆われ、反対側は図示されないカバーによって覆われて通風経路となる。ダクト８ｂは、筐体２の右側壁面２５と、筐体２内部にあって、右側壁面２６に平行に設けられた右側隔壁２６とで挟まれた領域に形成され、右側壁面２５および右側隔壁２６で挟まれた領域のうちスクリーン１側は隔壁２７によって覆われ、反対側は図示されないカバーによって覆われて通風経路となる。【選択図】図３
2010117573.tif 000002
【特許請求の範囲】
【請求項１】
投写ユニットからの映像をスクリーンに投写することで映像を表示する投写型表示装置を複数縦横に配列して大画面を構成する映像表示装置であって、
前記投写型表示装置は、
前記投写ユニットを収容し、前記スクリーンを取り付ける筐体を備え、
前記筐体は、
前記投写ユニットを収容する領域の左右に、それぞれ上下方向に延在し、上部および下部がそれぞれ上側開口および下側開口となった通風のための第１および第２のダクトと、
前記第１および第２のダクトの下側開口をそれぞれ独立に開閉可能な第１の遮断プレートと、
前記第１および第２のダクトの上側開口をそれぞれ独立に開閉可能な第２の遮断プレートと、を有し、
前記第１および第２のダクトは、
前記投写ユニット内を通って、前記第１および第２のダクト間に通風経路が形成されるように、前記第１および第２のダクトの壁面に、前記投写ユニットの開口位置に合わせた第１および第２の開口を有し、
前記第１および第２の遮断プレートによる前記第１および第２のダクトの前記下側開口および前記上側開口の開閉を組み合わせることで、縦方向に配列された前記投写型表示装置間に渡る通風経路を形成する、映像表示装置。
【請求項２】
前記投写ユニットは、
前記第１および第２のダクト間に直行する方向に通風経路が形成されるように配設された、吸気口および排気口と、
前記排気口に直結する排気ファンと、を有する、請求項１記載の映像表示装置。
【請求項３】
前記投写ユニットは、
その外郭寸法が、映像を投写するレンズを中心として、前後左右対称な寸法に設定されるとともに、前記吸気口および排気口も対称な位置および寸法に設定され、前記筐体の前記領域に１８０度回転した状態での収容を可能とする、請求項２記載の映像表示装置。
【発明の詳細な説明】
【技術分野】
【０００１】
本発明は映像表示装置に関し、特に、複数個の投写型表示装置を組み合わせて大画面を構成する映像表示装置に関する。
【背景技術】
【０００２】
従来より、投写ユニットからスクリーンに映像を映し出す投写型表示装置を複数個配列したマルチビジョンが知られている。
【０００３】
ここで、例えば特許文献１の図１、図２に示されるように、マルチビジョンは、映像を結像表示させるスクリーンのみが壁面から露出し、その他の部分は壁内に埋め込まれるように設置される構造を採るので、半ば密閉された状態で動作することになる。
【０００４】
そして、個々の投写型表示装置には、例えば特許文献２の図１に記載のように、筐体内部の空冷のためにファンを設け、外部に熱を排出する構成を採るが、熱は半密閉状態の空間に排出されることになる。
【０００５】
通常は、マルチビジョンの背面側にメンテナンスのためにスペースを設けることが多いが、スペースがあっても熱を効率的に排気する方法が十分でなかったり、メンテンナンスをスクリーン側から行う映像表示装置の場合は、スペースが限られ、効率的な排熱構造が確保できない場合がある。その場合は、個々の投写型表示装置から排出される熱が壁内の半密閉空間内を循環することで、熱が籠もり、個々の投写型表示装置が有する冷却機構では十分に冷却できないという状況が発生する。そして、冷却が不十分な場合、熱により映像表示装置に品質低下が生じる可能性がある。
【０００６】
この改善策として、壁内の半密閉空間にエアコンなどの空調機を設け、映像表示装置の冷却機能を補う機構を追加して、マルチビジョンの空冷システムとすることが考えられるが、この場合、設置する場合の費用や工事期間の延長などコストが増大するという問題が発生する。
【０００７】
【特許文献１】特開平８−１４００２４号公報
【特許文献２】特開２００１−３４３７０８号公報
【発明の開示】
【発明が解決しようとする課題】
【０００８】
本発明は、上記のような問題点を解決するためになされたものであり、複数個の投写型表示装置を組み合わせて大画面を構成する映像表示装置において、効率の良い冷却機構を備えた映像表示装置を提供することを目的とする。
【課題を解決するための手段】
【０００９】
本発明に係る請求項１記載の映像表示装置は、投写ユニットからの映像をスクリーンに投写することで映像を表示する投写型表示装置を複数縦横に配列して大画面を構成する映像表示装置であって、前記投写型表示装置は、前記投写ユニットを収容し、前記スクリーンを取り付ける筐体を備え、前記筐体は、前記投写ユニットを収容する領域の左右に、それぞれ上下方向に延在し、上部および下部がそれぞれ上側開口および下側開口となった通風のための第１および第２のダクトと、前記第１および第２のダクトの下側開口をそれぞれ独立に開閉可能な第１の遮断プレートと、前記第１および第２のダクトの上側開口をそれぞれ独立に開閉可能な第２の遮断プレートと、を有し、前記第１および第２のダクトは、前記投写ユニット内を通って、前記第１および第２のダクト間に通風経路が形成されるように、前記第１および第２のダクトの壁面に、前記投写ユニットの開口位置に合わせた第１および第２の開口を有し、前記第１および第２の遮断プレートによる前記第１および第２のダクトの前記下側開口および前記上側開口の開閉を組み合わせることで、縦方向に配列された前記投写型表示装置間に渡る通風経路を形成する。
【発明の効果】
【００１０】
本発明に係る請求項１記載の映像表示装置によれば、投写型表示装置の筐体の投写ユニットの左右に通風のための第１および第２のダクトを設け、縦方向に配列された投写型表示装置間を渡る通風経路が形成されるようにしたので、外気を効率的に映像表示装置に供給することで、効率的に個々の投写型表示装置を冷却することができる。このため、半密閉状態で設置される映像表示装置内に熱が籠もることが防止され、熱による品質低下を防止できる。また、半密閉空間にエアコンなどの空調機を設ける必要もないので、コストの増大も防止できる。
【発明を実施するための最良の形態】
【００１１】
＜はじめに＞
本発明に係る実施の形態の説明に先立って、図１４〜図１７を用いて、一般的なマルチビジョンの構造について説明する。
【００１２】
図１４は、投写型表示装置９０の外観を示す斜視図である。図１４に示すように、投写型表示装置９０は、映像を投写する投写ユニット（図示せず）と、映像を結像する透過型のスクリーン１と、スクリーン１を固定し、投写ユニットを内蔵して投写光を遮光する筐体２とを備えている。筐体２は、他の投写型表示装置９０を積み重ねることが可能なように強固に構成されている。
【００１３】
図１４でのＪＫＬＭ面での矢示Ｉ方向断面を図１５に、矢示Ｈ方向平面を図１６に示す。
【００１４】
図１６に示されるように、投写ユニット３には筐体２外部に向けて開口した吸気口５０を設け、筐体２に外部に向けた排気ファン５１を設けることで、図１５に示すように、吸気口５１からリフレッシュな空気２１０を吸い込み、排気ファン５１から内部の空気２１２を排出することで、筐体２内の熱を排出し、筐体２内および投写ユニット３を冷却するシステムを採っている。従って、投写型表示装置９０単独では、特に熱的な問題が起きることはない。
【００１５】
図１７は、投写型表示装置９０を縦横に３台ずつ計９台配列したマルチビジョンＭＶを、実際の設置に合わせて壁で囲んだ状態とした場合の水平方向での断面を示す図である。図１７では、外郭壁３００と、背面壁３０１によって投写型表示装置９０の配列体が囲まれ、投写型表示装置９０のスクリーン１のみが露出し、半ば密閉された状態となっている。
【００１６】
マルチビジョンＭＶでは、投写型表示装置９０のスクリーン１とは反対側の背面と、背面壁３０１との間にメンテナンスのためのスペースＳＰを有している。
【００１７】
図１５、図１６を用いて説明したように、投写型表示装置９０は、背面の吸気口５１からリフレッシュな空気２１０を吸い込み、排気ファン５１から内部の空気２１２を排気するので、外郭壁３００の隙間などから外気２０６が多少入ることはあるが、スペースＳＰは半密閉空間であるので、吸気口５１から吸い込む空気には、排気ファン５１から排気される内部の空気２１２が含まれ、投写型表示装置９０自身が排熱した熱で自らが暖められることとなる。
【００１８】
＜実施の形態＞
以下、図１〜図１３を用いて、本発明に係る映像表示装置の実施の形態について説明する。
図１は、投写型表示装置１００の外観を示す斜視図である。図１に示すように、投写型表示装置１００は、映像を投写する投写ユニット３と、映像を結像する透過型のスクリーン１と、スクリーン１を固定し、投写ユニットを内蔵して投写光を遮光する筐体２とを備えている。筐体２は、他の投写型表示装置１００を積み重ねることが可能なように強固に構成されている。投写ユニット３には、映像を映し出すためのランプや電気回路などの熱源を有し、適度な冷却が必要である。
【００１９】
図２は、本発明に係る映像表示装置の実施の形態であるマルチビジョンＭＶ１の外観を示す斜視図である。図２に示すマルチビジョンＭＶ１は、投写型表示装置１００を縦横に３台ずつ計９台配列した構成を採り、吸気口１０１を有する架台４上に積み上げられている。なお、各スクリーンには、図に向かって最上段左から順に、それぞれ１ａ、１ｂ、１ｃの符号を付し、中段左から順に、それぞれ１ｄ、１ｅ、１ｆの符号を付し、最下段左から順に、それぞれ１ｇ、１ｈ、１ｉの符号を付している。
【００２０】
そして、吸気口１０１に対して、マルチビジョンＭＶ１の上部には排気ダクト１０２が設けられ、吸気口１０１および排気ダクト１０２に対応する開口部（図示せず）を有する外郭壁３００に、スクリーン１ａ〜１ｊのみが露出するようにはめ込まれている。
【００２１】
このため、マルチビジョンＭＶ１は半密閉状態にあるが、吸気口１０１からは、外気２０４を吸気し、排気ダクト１０２からは、マルチビジョンＭＶ１内の熱を吸収した排気２０３が放出される。
【００２２】
＜背面側保守タイプの投写型表示装置＞
図３は、図１に示す投写型表示装置１００を背面側から見た矢示Ａ方向斜視図であるが、投写型表示装置１００が背面側から保守作業を行う背面側保守タイプである場合の構成を示しており、投写型表示装置１００Ａと呼称する。
【００２３】
図３においては、投写型表示装置１００Ａとして背面側から保守作業を行う背面側保守タイプを示している。投写ユニット３には、リフレッシュな外気２００を吸い込む吸気口６と投写ユニット３内の熱源を冷却した排気２０１を排出する排気口（図示せず）に直結した排気ファン９と、保守用口７とを有している。投写ユニット３は、投写レンズ６０を中心として１８０度面内回転させた状態で取り付け可能に構成されており、説明の都合上、図３のように、背面に向かって左側に吸気口６が位置するように取り付けられた場合を投写ユニット３ａと呼称する。
【００２４】
投写型表示装置１００Ａを構成する筐体２内部には、背面に向かって左右の側面に沿って上下方向に延在するダクト８ａおよび８ｂを有している。
【００２５】
ダクト８ａは、筐体２の左側壁面２１と、筐体２内部にあって、左側壁面２１に平行に設けられた左側隔壁２２とで挟まれた領域に形成され、左側壁面２１および左側隔壁２２で挟まれた領域のうちスクリーン１側は隔壁２３によって覆われ、隔壁２３と反対側は図示されないカバーによって覆われることで空気の通風経路（風路）として機能する。同様に、ダクト８ｂは、筐体２の右側壁面２５と、筐体２内部にあって、右側壁面２６に平行に設けられた右側隔壁２６とで挟まれた領域に形成され、右側壁面２５および右側隔壁２６で挟まれた領域のうちスクリーン１側は隔壁２７によって覆われ、隔壁２７と反対側は図示されないカバーによって覆われることで空気の通風経路として機能する。なお、ダクト８ａの上下はそれぞれ開口されており、同様にダクト８ｂの上下もそれぞれ開口されている。
【００２６】
そして、左側のダクト８ａには、左側隔壁２２の投写ユニット３ａの吸気口６と対面する位置に開口１５を有し、右側のダクト８ｂには、右側隔壁２６の排気ファン９と対面する位置に開口１６を有している。なお、ダクト８ａの開口１５とダクト８ｂの開口１６とは、左右対称な位置に形成され、大きさも同じに形成されているので、投写ユニット３ａを、１８０度面内回転させた状態で取り付けた場合でも、吸気口６および排気ファン９と対面することができる。
【００２７】
投写ユニット３ａは、左側隔壁２２と右側隔壁２６との間の領域１０に収納されることで、吸気口６と開口１５とが対面し、排気ファン９と開口１６とが対面する。従って、リフレッシュな空気２００が開口１５から供給され、開口１６から排気２０１が排出される。
【００２８】
なお、投写ユニット３ａの吸気口６および排気ファン９側の底面部には、ダクト８ａおよび８ｂ方向にスライド可能な遮断プレート１２ａ（第１の遮断プレート）が設けられており、ダクト８ａおよび８ｂの下側の開口上にスライドして開口を覆うことができる構成となっている。
【００２９】
また、筐体２の上面板２８には、ダクト８ａおよび８ｂに隣接する部分に、ダクト８ａおよび８ｂ方向にスライド可能な遮断プレート１２ｂ（第２の遮断プレート）が設けられており、ダクト８ａおよび８ｂの上側の開口上にスライドして当該開口を覆うことができる構成となっている。
【００３０】
投写ユニット３ａを筐体２に組み込んだ投写型表示装置１００Ａは、９台組み合わせることで、図２に示されるマルチビジョンＭＶ１となる。
【００３１】
＜前面側保守タイプの投写型表示装置＞
図４は、図１に示す投写型表示装置１００を背面側から見た矢示Ａ方向斜視図であるが、投写型表示装置１００がスクリーン側から保守作業を行う前面側保守タイプである場合の構成を示しており、投写型表示装置１００Ｂと呼称する。前面側保守タイプでマルチビジョンを構成した場合に背面の保守スペースを必要としないという特徴がある。従って、スクリーン１には、前面側へ開放するための可動機構５０を有している。可動機構５０は、スクリーン１を支えるとともに、スクリーン１を、筐体２の前面に対して９０度以上の角度をなして上側に開くことが可能に構成されている。なお、その他の構成は図３に示した背面側保守タイプと同じであり、同一の構成については同一の符号を付し、重複する説明は省略する。
【００３２】
ただし、投写ユニット３ｂは、図３に示した投写ユニット３ａとは投写レンズ６０を中心として１８０度面内回転し、背面に向かって右側に吸気口６が位置するように取り付けられるので、左側隔壁２２と右側隔壁２６との間の領域１０に収納されることで、吸気口６と開口１６とが対面し、排気ファン（図示せず）に直結した排気口８と開口１５とが対面することになる。従って、リフレッシュな空気２００が開口１６から供給され、開口１５から排気２０１が排出される。
【００３３】
なお、投写ユニット３ｂにおいても遮断プレート１２ａは、ダクト８ａおよび８ｂの上側の開口上にスライドして当該開口を覆うことができる構成となっている。
【００３４】
投写ユニット３ｂを筐体２に組み込んだ投写型表示装置１００Ｂは、９台組み合わせることで、図２に示されるマルチビジョンＭＶ１となる。
【００３５】
＜背面側保守タイプのマルチビジョン＞
図５は、図１に示す投写型表示装置１００の、ＯＰＱＲ面での矢示Ｂ方向断面を示す図であり、投写ユニット３ａを組み込んだ背面側保守タイプの投写型表示装置１００Ａを示している。また、図６は、図５に示す投写型表示装置１００Ａを背面側から見た平面図である。なお、図６においては、筐体２の内部構造が判るように記載している。
【００３６】
図５に示すように、投写ユニット３ａは、投写レンズ６０の中心位置を基準としてその外郭が、左右ｘ、前後ｙの長さとなるように、左右、前後で同一寸法となっている。従って、投写レンズ６０を中心として１８０度面内回転させても取り付けることができる。
【００３７】
また、図５においては、ダクト８ｂの下側の開口上は遮断プレート１２ａで覆われており、遮断プレート１２ａにハッチングを付して示している。なお、ダクト８ａの下側の開口は覆われておらず、図６に示すように遮断プレート１２ａは投写ユニット３ａの吸気口６側の底面に収納されている。
【００３８】
また、筐体２の上面板２８に設けられた２枚の遮断プレート１２ｂのうち、ダクト８ａに隣接して設けられた遮断プレート１２ｂは、ダクト８ａの上側の開口を覆うように配置されており、他方は、上面板２８に収納されている。遮断プレート１２ａおよび１２ｂは、ダクト８ａおよび８ｂの一方につき、どちらかが風路を遮断するように配置すれば、一方向に空気を流すことができるが、その組み合わせに限定はない。
【００３９】
図６の場合、投写ユニット３ａの排気ファン９の回転でダクト８ａの開口１５（投写ユニット３ａの吸気口６からリフレッシュな空気２００が案内されて投写ユニット３ａに導かれ、投写ユニット３ａを通って排気ファン９によりダクト８ｂの開口１６を介して排気２０１として排出された後、ダクト８ｂを通って上側の開口に導かれる。なお、ダクト８ｂの下側の開口は遮断プレート１２ａにより覆われているので、排気２０１は、上部にのみ導かれることになる。
【００４０】
このような構成の投写型表示装置１００Ａを、縦横に３台ずつ計９台配列してマルチビジョンＭＶ１を構成した場合の背面図（図２の矢示Ｃ方向）を図７に示す。なお、便宜上筐体２の内部構造が判るように記載している。また、各筐体には、図に向かって最上段右から順に、それぞれ２ａ、２ｂ、２ｃの符号を付し、中段右から順に、それぞれ２ｄ、２ｅ、２ｆの符号を付し、最下段右から順に、それぞれ２ｇ、２ｈ、２ｉの符号を付している。
【００４１】
吸気側となるダクト８ａは、架台４の開口（図示せず）から吸気される外気２０４を、リフレッシュな空気２００として各投写ユニット３ａに案内する。このとき、各筐体のうち、最上段となる筐体２ａ、２ｂおよび２ｃのダクト８ａのみにおいて、上側の開口を遮断プレート１２ｂで覆うことで、架台４からの外気のみが投写ユニット３ａに入ることとなる。
【００４２】
そして、空気２００は各投写ユニット３ａを通った後、排気２０１として排出され、ダクト８ｂを通って上側の開口に導かれ、最上段となる筐体２ａ、２ｂおよび２ｃのダクト８ｂの上側の開口に接続された排気ダクト１０２を介して排気２０３として外部に放出される。
【００４３】
ここで、最下段となる筐体２ｇ、２ｈおよび２ｊのダクト８ｂのみにおいて、下側の開口を遮断プレート１２ａで覆うことで、排気２０１が架台４側へ漏れるのを防いでいる。
【００４４】
なお、筐体２ａ、２ｄおよび２ｇの列、筐体２ｂ、２ｅおよび２ｈの列、筐体２ｃ、２ｆおよび２ｊの列のそれぞれは各個に独立した吸排気システムを構成しており、架台４からの外気２０４も、各列独立に供給される構成となっている。
【００４５】
図８は、図７におけるＤ−Ｄ線での断面矢視図である。図８においては、図２に示したマルチビジョンＭＶ１が、外郭壁３００と背面壁３０１に囲まれ、半密閉状態となった構成を示している。
【００４６】
図８に示すように、投写型表示装置１００Ａのスクリーン１とは反対側の背面と、背面壁３０１との間にメンテナンスのためのスペースＳＰを有している。そして、図８における、矢示Ｅ方向が保守方向を示しており、メンテナンスに際しては、投写ユニット３ａを引き出して保守用口７を介してメンテナンスを行う。
【００４７】
なお、架台４の吸気口１０１から供給される外気２０４の他に、例えば外郭壁３００の側面に開口を設けて外気２０６を導く構成としても良い。
【００４８】
＜前面側保守タイプのマルチビジョン＞
図９は、図１に示す投写型表示装置１００の、ＯＰＱＲ面での矢示Ｂ方向断面を示す図であり、投写ユニット３ｂを組み込んだ前面側保守タイプの投写型表示装置１００Ｂを示している。また、図１０は、図９に示す投写型表示装置１００Ｂを背面側から見た平面図である。なお、図９においては、筐体２の内部構造が判るように記載している。
【００４９】
図９に示すように、投写ユニット３ｂは、投写レンズ６０の中心位置を基準としてその外郭が、左右ｘ、前後ｙの長さとなるように、左右、前後で同一寸法となっている。従って、投写レンズ６０を中心として１８０度面内回転させても取り付けることができる。
【００５０】
従って、投写ユニット３は、投写ユニット３ａとして背面側保守タイプの投写型表示装置１００Ａにも、前面側保守タイプの投写型表示装置１００Ｂにも使用することができ、汎用性を高めることができる。
【００５１】
また、図９においては、ダクト８ａの下側の開口上は遮断プレート１２ａで覆われており、遮断プレート１２ａにハッチングを付して示している。なお、ダクト８ｂの下側の開口は覆われておらず、図１０に示すように遮断プレート１２ａは投写ユニット３ｂの吸気口６側の底面に収納されている。
【００５２】
また、筐体２の上面板２８に設けられた２枚の遮断プレート１２ｂは、ともに上面板２８に収納された状態を示しているが、ダクト８ｂの上側の開口を遮断するように配置すれば、投写ユニット３ｂの吸気口６からリフレッシュな空気２００が案内されて投写ユニット３ｂに導かれ、投写ユニット３ｂを通って排気ファン９によりダクト８ａの開口１５を介して排気２０１として排出された後、ダクト８ａを通って上側の開口に導かれる。なお、ダクト８ａの下側の開口は遮断プレート１２ａにより覆われているので、排気２０１は、上部にのみ導かれることになる。
【００５３】
このような構成の投写型表示装置１００Ｂを、縦横に３台ずつ計９台配列してマルチビジョンＭＶ１を構成した場合の背面図（図２の矢示Ｃ方向）を図１１に示す。なお、便宜上筐体２の内部構造が判るように記載している。その他、図７と同一の構成には同一の符号を付し、重複する説明は省略する。
【００５４】
図１１に示すように、吸気側となるダクト８ａは、架台４の開口（図示せず）から吸気される外気２０４を、リフレッシュな空気２００として各投写ユニット３ｂに案内する。このとき、各筐体のうち、最上段となる筐体２ａ、２ｂおよび２ｃのダクト８ｂのみにおいて、上側の開口を遮断プレート１２ｂで覆うことで、架台４からの外気のみが投写ユニット３ｂに入ることとなる。
【００５５】
そして、空気２００は各投写ユニット３ｂを通った後、排気２０１として排出され、ダクト８ａを通って上側の開口に導かれ、最上段となる筐体２ａ、２ｂおよび２ｃのダクト８ａの上側の開口に接続された排気ダクト１０２を介して排気２０３として外部に放出される。なお、排気ダクト１０２は、ダクト８ａおよび８ｂに対して、取り付け、取り外しが可能な構成となっている。
【００５６】
ここで、最下段となる筐体２ｇ、２ｈおよび２ｊのダクト８ａのみにおいて、下側の開口を遮断プレート１２ａで覆うことで、排気２０１が架台４側へ漏れるのを防いでいる。
【００５７】
なお、筐体２ａ、２ｄおよび２ｇの列、筐体２ｂ、２ｅおよび２ｈの列、筐体２ｃ、２ｆおよび２ｊの列のそれぞれは各個に独立した吸排気システムを構成しており、架台４からの外気２０４も、各列独立に供給される構成となっている。
【００５８】
図１２は、図８におけるＦ−Ｆ線での断面矢視図である。図１２においては、図２に示したマルチビジョンＭＶ１が、外郭壁３００と背面壁３０１に囲まれ、半密閉状態となった構成を示している。
【００５９】
図１２に示すように、前面側保守タイプのマルチビジョンでは、矢示Ｇ方向が保守方向を示しており、メンテナンスに際しては、スクリーン１側から投写ユニット３ｂを引き出して保守用口７を介してメンテナンスを行うので、背面側にはメンテナンスのためのスペースが設けられていない。従って、前面側保守タイプのマルチビジョンでは、ダクト８ａおよび８ｂによる冷却システムが非常に有効となる。
【００６０】
＜遮断プレートの構成＞
図１３に、図３におけるＸ−Ｘ線での断面矢視図およびＷ−Ｗ線での断面矢視図を示す。
図１３に示すように、遮断プレート１２ａは投写ユニット３の下面に具備され、スライド方向とは直交する方向の両端部にそれぞれ沿って設けられたガイド１７により案内されて、ダクト８ａおよび８ｂの下側開口上にスライド可能な構造となっている。
【００６１】
同様に遮断プレート１２ｂは、筐体２の上面板２８に具備され、スライド方向とは直交する方向の両端部にそれぞれ沿って設けられたガイド１７により案内されて、ダクト８ａおよび８ｂの上側開口上にスライド可能な構造となっている。
【００６２】
遮断プレート１２ａおよび１２ｂは、マルチビジョンＭＶ１の構成に合わせて使用することで、風路を適切に遮断して効果的な冷却を実現することができる。
【００６３】
＜効果＞
以上説明したように、本発明に係る実施の形態においては、各投写型表示装置１００において、投写ユニット３の左右に通風のためのダクト８ａおよび８ｂを設け、複数の投写型表示装置１００間を通じて外気２０４が通り抜ける風路を形成するようにしたので、外気２０４を効率的にマルチビジョンＭＶ１に供給することで、効率的に投写型表示装置１００を冷却することができる。このため、半密閉状態で設置されるマルチビジョンＭＶ１内に熱が籠もることが防止され、熱による品質低下を防止できる。また、半密閉空間にエアコンなどの空調機を設ける必要もないので、コストの増大も防止できる。
【００６４】
＜変形例＞
なお、以上説明した投写型表示装置１００Ａおよび１００Ｂでは、投写ユニット３ａおよび３ｂにおいて、排気口の側にファンを設けて排気ファン９とする構成を示したが、吸気口６の側にファンを設けて吸気ファンとしても良い。
【産業上の利用可能性】
【００６５】
発明の活用例として、壁面などに複数組み合わされて設置される映像表示装置において、背面側にメンテナンスのスペースを設けることができない装置や、専用の冷却装置を組み込むことができない装置に適用できる。
【図面の簡単な説明】
【００６６】
【図１】本発明に係る実施の形態の投写型表示装置の外観を示す斜視図である。
【図２】本発明に係る実施の形態のマルチビジョンの外観を示す斜視図である。
【図３】背面側保守タイプの投写型表示装置を示す斜視図である。
【図４】前面側保守タイプの投写型表示装置を示す斜視図である。
【図５】背面側保守タイプの投写型表示装置の断面構成を示す図である。
【図６】背面側保守タイプの投写型表示装置を背面側から見た平面図である。
【図７】背面側保守タイプの投写型表示装置により構成されたマルチビジョンを背面側から見た平面図である。
【図８】背面側保守タイプの投写型表示装置により構成されたマルチビジョンの断面図である。
【図９】前面側保守タイプの投写型表示装置の断面構成を示す図である。
【図１０】前面側保守タイプの投写型表示装置を背面側から見た平面図である。
【図１１】前面側保守タイプの投写型表示装置により構成されたマルチビジョンを背面側から見た平面図である。
【図１２】前面側保守タイプの投写型表示装置により構成されたマルチビジョンの断面図である。
【図１３】遮断プレートの構成を説明する断面図である。
【図１４】一般的な投写型表示装置の外観を示す斜視図である。
【図１５】一般的な投写型表示装置の断面構成を示す図である。
【図１６】一般的な投写型表示装置を背面側から見た平面図である。
【図１７】一般的なマルチビジョンの断面図である。
【符号の説明】
【００６７】
１  スクリーン、２  筐体、３  投写ユニット、６  吸気口、８  排気口、８ａ，８ｂ  ダクト、９  排気ファン、１５，１６  開口、２１  左側壁面、２２  左側隔壁、２３，２７  隔壁、２５  右側壁面、２６  右側隔壁。
【図１】
2010117573.tif 000003
【図２】
2010117573.tif 000004
【図３】
2010117573.tif 000005
【図４】
2010117573.tif 000006
【図５】
2010117573.tif 000007
【図６】
2010117573.tif 000008
【図７】
2010117573.tif 000009
【図８】
2010117573.tif 000010
【図９】
2010117573.tif 000011
【図１０】
2010117573.tif 000012
【図１１】
2010117573.tif 000013
【図１２】
2010117573.tif 000014
【図１３】
2010117573.tif 000015
【図１４】
2010117573.tif 000016
【図１５】
2010117573.tif 000017
【図１６】
2010117573.tif 000018
【図１７】
2010117573.tif 000019